(57)【要約】【課題】工具なしでも眼鏡部品同士を簡単に着脱することができて部品交換も迅速かつ的確に行うことができ、しかも、連結された眼鏡部品同士は安定な結合状態を保ち得る眼鏡部品の連結構造およびかかる連結構造を備えた眼鏡を提供する。【解決手段】リム（１２０）に固設された第一の部材（１３０、１４０）と、ヨロイまたはブリッジに連設された第二の部材（１６０、１８０）と、を備え、第一の部材は、その一面に設けられた挿通孔と該一面にほぼ直交する面に形成された係止溝とを有し、第二の部材は、第一の部材の挿通孔に導入される第一の脚部と係止溝に弾性的に係合する第二の脚部とを含む略Ｕ字状の屈曲部、および第二の脚部に設けられ第一の部材に係止される係止部を有する。【選択図】　　　　図３
2004093704.tif 000002
【特許請求の範囲】
【請求項１】
リムに固設された第一の部材と、
ヨロイまたはブリッジに連設された第二の部材と、
を備え、
前記第一の部材は、その一面に設けられた挿通孔と該一面にほぼ直交する面に形成された係止溝とを有し、
前記第二の部材は、前記第一の部材の挿通孔に導入される第一の脚部と前記係止溝に弾性的に係合する第二の脚部とを含む略Ｕ字状の屈曲部、および前記第二の脚部に設けられ前記第一の部材に係止される係止部を有することを特徴とする眼鏡の連結構造。
【請求項２】
前記第一の部材は、ほぼ直方体状であり、前記リムに対しその長辺が左右方向に延在する形態で固設され、前記挿通孔がその長辺を含む後面に設けられると共に、前記係止溝がその長辺にほぼ直交する側面に前記挿通孔とほぼ平行に形成されていることを特徴とする請求項１に記載の眼鏡の連結構造。
【請求項３】
前記第一の部材は、ほぼ直方体状であり、前記リムに対しその長辺が上下方向に延在する形態で固設され、前記挿通孔がその長辺を含む前面に設けられると共に、前記係止溝がその長辺にほぼ直交する上面に前記挿通孔とほぼ平行に形成されていることを特徴とする請求項１に記載の眼鏡の連結構造。
【請求項４】
前記第二の部材は、ヨロイであり、前記係止部は直方体状の第一の部材の長辺を含む前面縁部に係止される突起であることを特徴とする請求項２に記載の眼鏡の連結構造。
【請求項５】
前記第二の部材は、ブリッジであり、前記係止部は直方体状の第一の部材の長辺を含む後面縁部に係止される突部であることを特徴とする請求項３に記載の眼鏡の連結構造。
【請求項６】
前記第二の部材はブリッジであり、前記係止部は該ブリッジに固設され、鼻当てパッドを支持するパッドアームであって、直方体状の第一の部材の長辺を含む後面縁部に係止されることを特徴とする請求項３に記載の眼鏡の連結構造。
【請求項７】
前記第一の部材は、合口を有するリムの一方端に固設された外側部材と、リムの他方端に固設された内側部材とで構成され、該内側部材が前記外側部材に挿入されてリムロックを構成することを特徴とする請求項１に記載の眼鏡の連結構造。
【請求項８】
前記外側部材は、中空部を有するほぼ直方体状であり、前記リムの一方端に対しその長辺が左右方向に延在する形態で固設され、前記挿通孔がその長辺を含む後面と前記外側部材の中空部に挿入された前記内側部材とに連続して設けられ、前記係止溝がその長辺にほぼ直交する側面に前記挿通孔とほぼ平行に形成されていることを特徴とする請求項７に記載の眼鏡の連結構造。
【請求項９】
一対のレンズと、
該一対のレンズの周囲を保持する一対のリムと、
該一対のリムの左右方向外側に固設されたヨロイ側の第一の部材と、
該一対のリムの左右方向内側に固設されたブリッジ側の第一の部材と、
ヨロイに連設されたヨロイ側の第二の部材と、
ブリッジに連設されたブリッジ側の第二の部材と
を備え、
前記ヨロイ側およびブリッジ側の第一の部材は、その一面に設けられた挿通孔と該一面にほぼ直交する面に形成された係止溝とを有し、
前記ヨロイ側およびブリッジ側の第二の部材は、前記ヨロイ側およびブリッジ側の第一の部材の挿通孔に導入される第一の脚部と前記係止溝に弾性的に係合する第二の脚部とを含む略Ｕ字状の屈曲部、および前記第二の脚部に設けられ前記ヨロイ側およびブリッジ側の第一の部材に係止される係止部を有することを特徴とする眼鏡。
【請求項１０】
前記ヨロイ側の第一の部材は、ほぼ直方体状であり、前記リムに対しその長辺が左右方向に延在する形態で固設され、前記挿通孔がその長辺を含む後面に設けられると共に、前記係止溝がその長辺にほぼ直交する側面に前記挿通孔とほぼ平行に形成されていることを特徴とする請求項９に記載の眼鏡。
【請求項１１】
前記ブリッジ側の第一の部材は、ほぼ直方体状であり、前記リムに対しその長辺が上下方向に延在する形態で固設され、前記挿通孔がその長辺を含む前面に設けられると共に、前記係止溝がその長辺にほぼ直交する上面に前記挿通孔とほぼ平行に形成されていることを特徴とする請求項９に記載の眼鏡。
【請求項１２】
前記ヨロイ側の第二の部材は、蝶番を介してテンプルに連結されたヨロイであり、前記係止部は直方体状のヨロイ側の第一の部材の長辺を含む前面縁部に係止される突起であることを特徴とする請求項１０に記載の眼鏡。
【請求項１３】
前記ブリッジ側の第二の部材は、一本の線材から形成されたブリッジであり、前記係止部は直方体状のブリッジ側の第一の部材の長辺を含む後面縁部に係止される突部であることを特徴とする請求項１１に記載の眼鏡。
【請求項１４】
前記ブリッジ側の第二の部材は一本の線材から形成されたブリッジであり、前記係止部は該ブリッジに固設され、鼻当てパッドを支持するパッドアームであって、直方体状のブリッジ側の第一の部材の長辺を含む後面に係止されることを特徴とする請求項１１に記載の眼鏡。
【請求項１５】
前記ヨロイ側の第一の部材は、合口を有するリムの一方端に固設された外側部材と、リムの他方端に固設された内側部材とで構成され、該内側部材が前記外側部材に挿入されてリムロックを構成することを特徴とする請求項９に記載の眼鏡。
【請求項１６】
前記外側部材は、中空部を有するほぼ直方体状であり、前記リムの一方端に対しその長辺が左右方向に延在する形態で固設され、前記挿通孔がその長辺を含む後面と前記外側部材の中空部に挿入された前記内側部材とに連続して設けられ、前記係止溝がその長辺にほぼ直交する側面に前記挿通孔とほぼ平行に形成されていることを特徴とする請求項１５に記載の眼鏡。
【発明の詳細な説明】
【０００１】
【発明の属する技術分野】
本発明は、眼鏡部品同士の着脱が容易で交換が簡単にできる眼鏡部品の連結構造、および、かかる連結構造を備えた眼鏡に関する。
【０００２】
【従来の技術】
一般に、眼鏡は、テンプル、ヨロイ、ブリッジ、リム等の多数の眼鏡部品を適所で連結することにより作製されている。これらの眼鏡部品は、通常、溶接やねじ止め等により連結されており、分解するのは容易ではない。
【０００３】
ところで、近年における眼鏡のファッション的利用形態の高まりから、かかる眼鏡部品を自由に交換して使用することが望まれている。このようにすれば、各種サイズやデザインの眼鏡部品を多数揃えておき、これらの中からＴＰＯに応じて適当な眼鏡部品を選択して使い分けることができるからである。
【０００４】
従来、かかる眼鏡部品同士の着脱が容易で交換が簡単にできる眼鏡部品の連結構造として、本出願人は、先に、特開２００１−１１７０５２号公報に記載のものを提案した。
【０００５】
このものは、差込プラグを有する第１眼鏡パーツと、差込プラグがインサートされるソケット孔が開設された第２眼鏡パーツとを含んでいる。そして、第１眼鏡パーツの差込プラグは、バネ性線材または薄板材をピンカーブ状に折曲成形したクリップ状突起棒であって、突出部位には弧状に膨出した弾性の差鎌部を備え、また、当該第１眼鏡パーツの根元側に伸びる折返端部には反曲状の弾性タングを有している。一方、第２眼鏡パーツにおけるソケット孔には、差込プラグの差鎌部が弾力的に嵌込む入嵌口が奥部該当位置に開設され、かつ、弾性タングに対応する位置には当該タングを操作するための操作口が開設されている。かくて、第１眼鏡パーツの差込プラグを第２眼鏡パーツ２のソケット孔に差し込むことによって、差込プラグの差鎌部を入嵌口に弾性嵌合させて、第１・第２の眼鏡パーツを互いに連結するようにし、一方、第２眼鏡パーツの操作口から差込プラグの弾性タングを操作することにより、連結状態にある第１眼鏡パーツを引抜き分離可能に構成している。
【０００６】
【発明が解決しようとする課題】
しかしながら、かかる従来の眼鏡部品の連結構造においては、連結状態にある第１・第２眼鏡パーツを分離するに際しては、第２眼鏡パーツの操作口から何らかの工具を用いて差込プラグの弾性タングを操作することにより、弾性嵌合状態にある差込プラグの差鎌部を入嵌口から外すことが必要であり、工具なしで分離させることは困難で、さらなる改善の余地が存するものであった。
【０００７】
本発明の目的は、かかる要請に応え、工具なしでも眼鏡部品同士を簡単に着脱することができて部品交換も迅速かつ的確に行うことができ、しかも、連結された眼鏡部品同士は安定な結合状態を保ち得る眼鏡部品の連結構造およびかかる連結構造を備えた眼鏡を提供することにある。
【０００８】
【課題を解決するための手段】
上記目的を達成する本発明の一形態にかかる眼鏡の連結構造は、リムに固設された第一の部材と、ヨロイまたはブリッジに連設された第二の部材と、を備え、前記第一の部材は、その一面に設けられた挿通孔と該一面にほぼ直交する面に形成された係止溝とを有し、前記第二の部材は、前記第一の部材の挿通孔に導入される第一の脚部と前記係止溝に弾性的に係合する第二の脚部とを含む略Ｕ字状の屈曲部、および前記第二の脚部に設けられ前記第一の部材に係止される係止部を有することを特徴とする。
【０００９】
ここで、前記第一の部材は、ほぼ直方体状であり、前記リムに対しその長辺が左右方向に延在する形態で固設され、前記挿通孔がその長辺を含む後面に設けられると共に、前記係止溝がその長辺にほぼ直交する側面に前記挿通孔とほぼ平行に形成されていてもよい。
【００１０】
また、前記第一の部材は、ほぼ直方体状であり、前記リムに対しその長辺が上下方向に延在する形態で固設され、前記挿通孔がその長辺を含む前面に設けられると共に、前記係止溝がその長辺にほぼ直交する上面に前記挿通孔とほぼ平行に形成されていてもよい。
【００１１】
なお、前記第二の部材は、ヨロイであり、前記係止部は直方体状の第一の部材の長辺を含む前面縁部に係止される突起であってもよい。
【００１２】
さらに、前記第二の部材は、ブリッジであり、前記係止部は直方体状の第一の部材の長辺を含む後面縁部に係止される突部であってもよい。
【００１３】
前記第二の部材はブリッジであり、前記係止部は該ブリッジに固設され、鼻当てパッドを支持するパッドアームであって、直方体状の第一の部材の長辺を含む後面に係止されることが好ましい。
【００１４】
さらに、前記第一の部材は、合口を有するリムの一方端に固設された外側部材と、リムの他方端に固設された内側部材とで構成され、該内側部材が前記外側部材に挿入されてリムロックを構成することが好ましい。
【００１５】
前記外側部材は、中空部を有するほぼ直方体状であり、前記リムの一方端に対しその長辺が左右方向に延在する形態で固設され、前記挿通孔がその長辺を含む後面と前記外側部材の中空部に挿入された前記内側部材とに連続して設けられ、前記係止溝がその長辺にほぼ直交する側面に前記挿通孔とほぼ平行に形成されていることがさらに好ましい。
【００１６】
上記目的を達成する本発明の他の形態にかかる眼鏡は、一対のレンズと、該一対のレンズの周囲を保持する一対のリムと、該一対のリムの左右方向外側に固設されたヨロイ側の第一の部材と、該一対のリムの左右方向内側に固設されたブリッジ側の第一の部材と、ヨロイに連設されたヨロイ側の第二の部材と、ブリッジに連設されたブリッジ側の第二の部材とを備え、前記ヨロイ側およびブリッジ側の第一の部材は、その一面に設けられた挿通孔と該一面にほぼ直交する面に形成された係止溝とを有し、前記ヨロイ側およびブリッジ側の第二の部材は、前記ヨロイ側およびブリッジ側の第一の部材の挿通孔に導入される第一の脚部と前記係止溝に弾性的に係合する第二の脚部とを含む略Ｕ字状の屈曲部、および前記第二の脚部に設けられ前記ヨロイ側およびブリッジ側の第一の部材に係止される係止部を有することを特徴とする。
【００１７】
ここで、前記ヨロイ側の第一の部材は、ほぼ直方体状であり、前記リムに対しその長辺が左右方向に延在する形態で固設され、前記挿通孔がその長辺を含む後面に設けられると共に、前記係止溝がその長辺にほぼ直交する側面に前記挿通孔とほぼ平行に形成されるのが好ましい。
【００１８】
また、前記ブリッジ側の第一の部材は、ほぼ直方体状であり、前記リムに対しその長辺が上下方向に延在する形態で固設され、前記挿通孔がその長辺を含む前面に設けられると共に、前記係止溝がその長辺にほぼ直交する上面に前記挿通孔とほぼ平行に形成されるのが好ましい。
【００１９】
さらに、前記ヨロイ側の第二の部材は、蝶番を介してテンプルに連結されたヨロイであり、前記係止部は直方体状のヨロイ側の第一の部材の長辺を含む前面縁部に係止される突起であるのが好ましい。
【００２０】
前記ブリッジ側の第二の部材は、一本の線材から形成されたブリッジであり、前記係止部は直方体状のブリッジ側の第一の部材の長辺を含む後面縁部に係止される突部であってもよい。
【００２１】
しかし、前記ブリッジ側の第二の部材は一本の線材から形成されたブリッジであり、前記係止部は該ブリッジに固設され、鼻当てパッドを支持するパッドアームであって、直方体状のブリッジ側の第一の部材の長辺を含む後面に係止されることが好ましい。
【００２２】
さらに、前記ヨロイ側の第一の部材は、合口を有するリムの一方端に固設された外側部材と、リムの他方端に固設された内側部材とで構成され、該内側部材が前記外側部材に挿入されてリムロックを構成することが好ましい。
【００２３】
また、前記外側部材は、中空部を有するほぼ直方体状であり、前記リムの一方端に対しその長辺が左右方向に延在する形態で固設され、前記挿通孔がその長辺を含む後面と前記外側部材の中空部に挿入された前記内側部材とに連続して設けられ、前記係止溝がその長辺にほぼ直交する側面に前記挿通孔とほぼ平行に形成されていることがさらに好ましい。
【００２４】
【発明の実施の形態】
以下、本発明の実施の形態を添付図面を参照しつつ説明する。なお、本明細書の記述において、「前後」、「左右」および「上下」等の方向を表す表現は、眼鏡が通常の状態で人に装着されているときの方向を表している。
【００２５】
主に、図１および２において、本発明の一実施の形態に係る眼鏡１００は、一対の左右のレンズ１１０と、該一対のレンズの周囲をそれぞれ保持する一対の金属製のリム１２０と、該一対のリム１２０の左右方向外側に固設された第一の部材としてのヨロイ側の第一の部材１３０と、該一対のリム１２０の左右方向内側に固設された同じく第一の部材としてのブリッジ側の第一の部材１４０と、ヨロイ１５０に連設された第二の部材としてのヨロイ側の第二の部材１６０と、ブリッジ１７０に連設された同じく第二の部材としてのブリッジ側の第二の部材１８０とを備えている。
【００２６】
ヨロイ側の第一の部材１３０は、図５に示すように、その外観形状がほぼ直方体状であり、リム１２０に対しその長辺が左右方向に延在する形態で溶接等により固設され、挿通孔１３２がその長辺を含む後面Ｂに設けられている。そして、係止溝１３４がその長辺にほぼ直交する側面Ｓに挿通孔１３２とほぼ平行になるように形成されている。一方、ブリッジ側の第一の部材１４０は、図９に示すように、その外観形状はヨロイ側の第一の部材１３０と同様にほぼ直方体状であるが、リム１２０に対しその長辺が上下方向に延在する形態で溶接等により固設され、挿通孔１４２がその長辺を含む前面Ｆに設けられている。そして、係止溝１４４がその長辺にほぼ直交する上面Ｔに挿通孔１４２とほぼ平行になるように形成されている。
【００２７】
ここで、ヨロイ側およびブリッジ側の第一の部材１３０および１４０は、上述のように、その外観形状がほぼ直方体状であり、その長辺を長さＬとし、残りの２つの短辺を幅Ｗおよび深さ（高さ）Ｈとするとき、ヨロイ側の第一の部材１３０の上記後面Ｂは長さＬと幅Ｗで、上記側面Ｓは幅Ｗと深さＨで構成され、且つ、ブリッジ側の第一の部材１４０の上記前面Ｆは長さＬと幅Ｗで、上記上面Ｔは幅Ｗと深さＨで構成されることになる。そして、挿通孔１３２および挿通孔１４２と係止溝１３４および係止溝１４４との最短距離（挿通孔の縁部と係止溝の底部との距離）をＤとするとき、上記長さＬ、幅Ｗおよび深さＨは、後述するヨロイ側およびブリッジ側の第二の部材１６０および１８０と所定の関係を満たすようにそれぞれの寸法が設定されている。但し、ヨロイ側およびブリッジ側の第一の部材１３０および１４０は同一寸法である必要はない。
【００２８】
なお、ヨロイ側およびブリッジ側の第一の部材１３０および１４０の係止溝１３４および１４４が形成される、上記側面Ｓおよび上面Ｔにおいては、係止溝１３４および１４４に平行する縁部が面取りされ、後述するヨロイ側およびブリッジ側の第二の部材１６０および１８０の、組立の際の、動きが滑らかになるようにされている。
【００２９】
また、ヨロイ側の第二の部材１６０は、ヨロイ側の第一の部材１３０の挿通孔１３２に導入される第一の脚部１６２と係止溝１３４に弾性的に係合する第二の脚部１６４とを含む略Ｕ字状の屈曲部１６６、および第二の脚部１６４の端部に設けられヨロイ側の第一の部材１３０の前面縁部に係止される鉤状の係止部１６８を有して形成されている（図７参照）。なお、本実施の形態においては、ヨロイ側の第二の部材１６０が、略Ｕ字状の屈曲部１６６の近傍においてヨロイ１５０に連設され、両者が一部品として形成されている。従って、このようにヨロイ１５０とヨロイ側の第二の部材１６０とが一部品として形成される場合には、本明細書において、両者を総称してヨロイと呼ぶこともある。
【００３０】
ヨロイ１５０は、本実施の形態では金属部材（例えば、チタン合金、ニッケル・クロム合金、ニッケル・チタン合金等の弾性材）から形成され、その一端部には蝶番１９４を介してテンプル１９６が連結されている。なお、この蝶番１９４を設けることなく、テンプル１９６をヨロイ１５０と一体的に形成してもよい。そして、第一の脚部１６２はヨロイ側の第一の部材１３０の挿通孔１３２への挿入を容易とするために先細に形成され、また第一の脚部１６２と第二の脚部１６４との間は無荷重状態で上述の挿通孔１３２と係止溝１３４との最短距離Ｄよりも狭い間隔となるように設定されている。
【００３１】
一方、ブリッジ側の第二の部材１８０は、ブリッジ側の第一の部材１４０の挿通孔１４２に導入される第一の脚部１８２と係止溝１４４に弾性的に係合する第二の脚部１８４とを含む略Ｕ字状の屈曲部１８６、および第二の脚部１８４に設けられブリッジ側の第一の部材１４０の後面縁部に係止される係止部を有して形成されている。この係止部は、第二の脚部１８４の途中に湾曲形成された突部（不図示）等であってもよい。しかし、本実施の形態においては、ブリッジ側の第二の部材１８０はブリッジ１７０と共に一本の線材から一部品として形成されており、該係止部がブリッジ側の第二の部材１８０の第二の脚部１８４に固設された、鼻当てパッド１９０を支持するパッドアーム１９２で構成されている。なお、ヨロイの場合と同様に、ブリッジ側の第二の部材１８０がブリッジ１７０と共に一本の線材から一部品として形成される場合には、本明細書において、両者を総称してブリッジと呼ぶこともある。
【００３２】
次に、ブリッジ１７０は、図１０に詳細に示すように、金属線材（例えば、チタン合金、ニッケル・クロム合金、ニッケル・チタン合金等の弾性材）から上部Ｕ字状屈曲部１７２とこれに連なる上述の下部Ｕ字状の屈曲部１８６とを備えて形成され、本実施の形態では、該上部Ｕ字状屈曲部１７２の第１脚部１７３同士が連結部１７１で連結されている。なお、上部Ｕ字状屈曲部１７２の第２脚部１７４は下部Ｕ字状の屈曲部１８６の第２脚部１８４と直線的に連続し、下部Ｕ字状屈曲部１８６の第１脚部１８２が後述するように、ブリッジ側の第一の部材１４０の挿通孔１４２に挿入され、第２脚部１８４が係止溝１４４に係止されることになる。そして、第一の脚部１８２と第二の脚部１８４との間は無荷重状態で上述の挿通孔１４２と係止溝１４４との最短距離Ｄよりも狭い間隔となるように設定されている。
【００３３】
ここで、上部Ｕ字状屈曲部１７２は眼鏡の後方向に凸で、その第１脚部１７３と第２脚部１７４とは互いに平行であり、一方、上部Ｕ字状屈曲部１７２の第２脚部１７４と直線的に連続する第２脚部１８４を有する下部Ｕ字状屈曲部１８６は眼鏡の前方向に凸で、その第１脚部１８２と第２脚部１８４とも互いにほぼ平行であるが、第一の脚部１８２と第二の脚部１８４との間は無荷重状態で上述の挿通孔１４２と係止溝１４４との最短距離Ｄよりも若干狭い間隔となるように設定されるのが好ましい。なお、上部Ｕ字状屈曲部１７２の第１脚部１７３とその第２脚部１７４（および下部Ｕ字状屈曲部１８６の第２脚部１８４）と下部Ｕ字状屈曲部１８６の第１脚部１８２とは、図１から明らかなように、眼鏡の上方から見てほぼ重なるよう形成されている。
【００３４】
次に、上述の実施の形態の説明では特に触れなかったが、ヨロイ側の第一の部材１３０をリムロック機構を備えて構成する実施の形態につき、主に、図６を参照して説明する。この実施の形態では、リム１２０が合口を有する形態に形成され、ヨロイ側の第一の部材１３０がリム１２０の合口に臨む一方端に固設された外側部材１３０Ｕと、リム１２０の他方端に固設された内側部材１３０Ｌとで構成され、該内側部材１３０Ｌが外側部材１３０Ｕの中空部内に挿入されてリムロックを構成している。
【００３５】
この外側部材１３０Ｕは、前実施の形態におけるヨロイ側の第一の部材１３０とほぼ直方体状の外観的特徴は同じであり、ただ中空部１３１Ｕを有し、この中空部１３１Ｕ内に内側部材１３０Ｌが挿入されて一体になる点が主に異なるのみである。従って、外側部材１３０Ｕは、リム１２０の合口に臨む一方端に対しその長辺が左右方向に延在する形態で固設され、挿通孔１３２Ｕがその長辺を含む後面Ｂに、および挿通孔１３２Ｌが外側部材１３０Ｕの中空部１３１Ｕに挿入される内側部材１３０Ｌに設けられ、挿入されたとき、両者が連続する形態となる。そして、係止溝１３４Ｕがその長辺にほぼ直交する側面Ｓに挿通孔１３２Ｕ（１３２Ｌ）とほぼ平行に形成されることになる。
【００３６】
上記本発明の実施の形態にあっては、次の手順により眼鏡１００が組立られ完成されることになる。まず、リムロック機構を備えない実施の形態では、リム１２０を熱膨張させるなどして、レンズ１１０がリム１２０内に固定され、図３に示す眼鏡部品が各々独立した状態が得られる。
【００３７】
また、リムロック機構を備える実施の形態の場合には、図６に示すように、リム１２０が合口で開かれた状態でレンズ１１０が装着され、この状態で内側部材１３０Ｌを外側部材１３０Ｕの中空部１３１Ｕ内に挿入することにより、同じく、図３に示す状態が得られる。
【００３８】
かかる状態において、ヨロイ側の第一の部材１３０の後面Ｂの挿通孔１３２に対しヨロイ側の第二の部材１６０の第一の脚部１６２を第二の脚部１６４が下方に向いた状態で挿入する。そして、完全に挿入された状態で、図４に示す矢印Ａ方向に、第一の脚部１６２を中心としてリム１２０およびヨロイ１５０を相対回転させると、第二の脚部１６４が弾性変形しながらヨロイ側の第一の部材１３０の側面縁部を乗り越え、最終的に係止溝１３４に弾性的にスナップ嵌めにより係止される。かくて、ヨロイ１５０は上下および左右方向のガタ付なくヨロイ側の第一の部材１３０に固定される。また、このとき同時に、鉤状の係止部１６８がヨロイ側の第一の部材１３０の前面縁部に係止されて、ヨロイ１５０の前後方向の動きも阻止される。
【００３９】
次に、ブリッジ側の第一の部材１４０の挿通孔１４２に対し、ブリッジ１７０を取付けることにより、左右のレンズ１１０を連結する。この取付けは、ブリッジ側の第二の部材１８０の第一の脚部１８２を第二の脚部１８４が側方に向いた状態で第一の部材１４０の挿通孔１４２に挿入することにより行われる。そして、完全に挿入された状態で、図４に示す矢印Ｂ方向に、第一の脚部１８２を中心としてリム１２０およびブリッジ１７０を相対回転させると、第二の脚部１８４が弾性変形しながらブリッジ側の第一の部材１４０の上面縁部を乗り越え、最終的に係止溝１４４に弾性的にスナップ嵌めにより係止される。かくて、ブリッジ１７０は上下および左右方向のガタ付なくブリッジ側の第一の部材１４０に固定される。また、このとき同時に、鼻当てパッド１９０のパッドアーム１９２のブリッジ１７０への取付け基部１９３（図１０参照）がブリッジ側の第一の部材１４０の後面縁部に係止されて、ブリッジ１７０の前後方向の動きも阻止される。
【００４０】
このようにして、左右のレンズ１１０を保持しているリム１２０と、ブリッジ１７０およびテンプル１９６に蝶番１９４を介して連結されているヨロイ１５０とが確実に連結され、組立が完成された図１および図２に示す眼鏡１００を得ることができる。このようにして得られた眼鏡１００は、通常の使用に伴う外力に対しては、部品同士が所定の弾性力で保持されており、その眼鏡部品同士が外れることはない。なお、上述の組立の手順は入換えてもよい。
【００４１】
一方、眼鏡部品を交換する必要があるときには、上述の組立手順の場合と逆方向に、通常の使用に伴う外力を若干上回る程度の力を加えて、リム１２０とブリッジ１７０またはリム１２０とヨロイ１５０を相対回転させることにより、何等の工具などを用いることなく、お互いを分離させることができる。
【００４２】
上述のような連結構造を用いて構成されている眼鏡１００において、テンプル１９６等を介して、眼鏡１００に過剰な外力が作用した場合には、第一の部材としてのヨロイ側部材１３０またはブリッジ側部材１４０と、第二の部材としてのヨロイ１５０またはブリッジ１７０とは、ヨロイ側部材１３０の係止溝１３４およびブリッジ側部材１４０の係止溝１４４にそれぞれ弾性的に係合している第二の脚部１６４および１８４のいずれか、または両者が弾性的に変形し外れることになる。その結果、そのリム１２０、ヨロイ１５０、ブリッジ１７０およびテンプル１９６等の眼鏡部品の変形やレンズ１１０の割れが防止される。
【００４３】
以上、本発明の好ましい実施の形態につき説明したが、本発明は上記実施の形態に限定されるものではない。すなわち、一および他の実施の形態にそれぞれ示された特徴を相互に入れ換えて採用することも可能である。例えば、ヨロイ１５０およびブリッジ１７０の差し込み方向、リム１２０の合口の位置等は相互に入れ換えてもよい。また、上記実施の形態では、金属製リム１２０がレンズの全周に亘り存する形式の眼鏡について説明したが、金属製リムの一部がナイロン紐等に置換えられた、いわゆるハーフリムタイプの眼鏡にも本発明が適用されることはいうまでもない。
【００４４】
【発明の効果】
以上実施形態を挙げて説明したとおり、本発明にあっては、簡単な操作で眼鏡部品を迅速に取り替えることができ、従来のように工具を用いるという面倒な作業を行う必要がなくなる。
【００４５】
よって、各種サイズやデザインの眼鏡部品を多数揃えておき、これらの中からＴＰＯに応じて適当な部品を選択してお洒落な眼鏡を楽しむこともできる。また、小さくばらせば、眼鏡ケースが小型化できたり、小さな容器で眼鏡の浸け置き洗浄ができたりするなど、利用価値は頗る高い。
【図面の簡単な説明】
【図１】本発明の一実施の形態に係る眼鏡を示す平面図である。
【図２】本発明の一実施の形態に係る眼鏡を示す正面図である。
【図３】本発明の一実施の形態に係る眼鏡の分解状態を示す分解正面図である。
【図４】本発明の一実施の形態に係る眼鏡の組立の手順を説明するための正面図である。
【図５】本発明の一実施の形態に係る眼鏡のヨロイ側の第一の部材を構成する外側部材を示す、（Ａ）平面図、（Ｂ）後面図および（Ｃ）側面図である。
【図６】本発明の一実施の形態に係る眼鏡のヨロイ側の第一の部材を構成する外側部材と内側部材との結合前の状態を示す分解斜視図である。
【図７】上記外側部材と内側部材とが結合され、リムロックを構成した状態で第二の部材としてのヨロイが挿通孔に挿入されようとする状態を示す斜視図である。
【図８】ヨロイ側の第一の部材と第二の部材とが連結された状態を示す図２におけるＶＩＩＩ−ＶＩＩＩ線断面図である。
【図９】本発明の一実施の形態に係る眼鏡のブリッジ側の第一の部材を示す、（Ａ）側面図、（Ｂ）正面図および（Ｃ）平面図である。
【図１０】本発明の一実施の形態に係る眼鏡の第二の部材としてのブリッジが第一部材の挿通孔に挿入されようとする状態を示す斜視図である。
【図１１】ブリッジ側の第一の部材と第二の部材とが連結された状態を示す図２におけるＸＩ−ＸＩ線断面図である。
【符号の説明】
１００　　眼鏡
１１０　　レンズ
１２０　　リム
１３０　　ヨロイ側の第一の部材
１３０Ｕ　　外側部材
１３０Ｌ　　内側部材
１３２、１３２Ｕ、１３２Ｌ　　挿通孔
１３４　　係止溝
１４０　　ブリッジ側の第一の部材
１４２　　挿通孔
１４４　　係止溝
１５０　　ヨロイ
１６０　　ヨロイ側の第二の部材
１６２　　第一の脚部
１６４　　第二の脚部
１６６　　Ｕ字状の屈曲部
１６８　　係止部
１７０　　ブリッジ
１８０　　ブリッジ側の第二の部材
１８２　　第一の脚部
１８４　　第二の脚部
１８６　　Ｕ字状の屈曲部
１９２　　パッドアーム
【図１】
2004093704.tif 000003
【図２】
2004093704.tif 000004
【図３】
2004093704.tif 000005
【図４】
2004093704.tif 000006
【図５】
2004093704.tif 000007
【図６】
2004093704.tif 000008
【図７】
2004093704.tif 000009
【図８】
2004093704.tif 000010
【図９】
2004093704.tif 000011
【図１０】
2004093704.tif 000012
【図１１】
2004093704.tif 000013